(57)【要約】      （修正有）【課題】ポリウレタンフォームが表面に凹凸を具えたプラスチックブロックを被覆して形成する生産が簡単なキーカバーを提供する。【解決手段】プラスチックブロックと、該プラスチックブロックを被覆するポリウレタンフォームとを含んでなり、該プラスチックブロックが鍵の柄の部分を挿設する貫通溝と、該貫通溝の一端に設けられたフックとを具えてなる。これにより、鍵を貫通溝に挿入すると、鍵の柄の部分が貫通溝の内部に入って緊密に固定され、フックは鍵を掛けるために使用される。【選択図】図１
0003148322.tif 000002
【実用新案登録請求の範囲】
【請求項１】
プラスチックブロックと、該プラスチックブロックを被覆するポリウレタンフォームとを含んでなり、
該プラスチックブロックが、鍵の柄の部分を挿設する貫通溝と、該貫通溝の一端に設けられたフックとを具えてなることを特徴とするキーカバー。
【請求項２】
前記プラスチックブロックが、表面に突起部を具えてなることを特徴とする請求項１に記載のキーカバー。
【考案の詳細な説明】
【技術分野】
【０００１】
この考案は、キーカバーに関し、特に鍵の頭部に設けて使用するキーカバーに関する。
【背景技術】
【０００２】
現代に生活する人々が使用する鍵は、大きく三つの種類に分けることができる。
【０００３】
一つは、一般的な板状の鍵で、形状が簡単で施錠と開錠ができるだけである。二つ目は、装飾が施された鍵で、前述の一般的な鍵と異なり、鍵の柄の部分を工芸品のような形状に形成する。三つ目は、カラーの鍵で、一般の鍵と異なり、鍵の頭部に様々な色彩や図案が施される。
【０００４】
二つ目の装飾が施された鍵、三つ目のカラーの鍵はいずれも、一般的な鍵を基礎に改良したものである。
【０００５】
しかしながら、該鍵の柄の部分とキーカバーはいずれも金属から形成され、且つ鍵本体と分離させることができないため、鍵の使用者に金属の冷たい質感を印象付ける。
【０００６】
また、該金属の鍵は、冷たい質感を解消するために頭部に装飾を施す場合には、装飾の作業が難しく、コストも高くなる。
【考案の開示】
【考案が解決しようとする課題】
【０００７】
この考案は、ポリウレタンフォームが、表面に凹凸を具えたプラスチックブロックを被覆して形成される、生産が簡単なキーカバーを提供することを課題とする。
【課題を解決するための手段】
【０００８】
そこで、本考案の考案者は、従来の技術に見られる欠点に鑑みて鋭意研究を重ねた結果、プラスチックブロックと、該プラスチックブロックを被覆するポリウレタンフォームとを含んでなり、
該プラスチックブロックが鍵の柄の部分を挿設する貫通溝と、該貫通溝の一端に設けられたフックとを具えてなるキーカバーを考案した。
【０００９】
以下、この考案について具体的に説明する。
請求項１に記載するキーカバーは、プラスチックブロックと、該プラスチックブロックを被覆するポリウレタンフォームとを含んでなり、
該プラスチックブロックが、鍵の柄の部分を挿設する貫通溝と、該貫通溝の一端に設けられたフックとを具えてなる。
【００１０】
請求項２に記載のキーカバーは、請求項１におけるプラスチックブロックが、表面に突起部を具えてなる。
【考案の効果】
【００１１】
この考案のキーカバーは、鍵が抜け落ち難く、且つ製造コストを節減するという効果を有する。
【００１２】
また、この考案のキーカバーは、プラスチックブロックの表面の凹凸でポリウレタンフォームとプラスチックブロックとがしっかりと固定されるという効果を有する。
【考案を実施するための最良の形態】
【００１３】
この考案は、ポリウレタンフォームが、表面に凹凸を具えたプラスチックブロックを被覆して形成する生産が簡単なキーカバーであって、プラスチックブロックと、該プラスチックブロックを被覆するポリウレタンフォームとを含んでなり、
該プラスチックブロックが、鍵の柄の部分を挿設する貫通溝と、該貫通溝の一端に設けられたフックとを具えてなる。
かかるキーカバーの構造と特徴を詳述するために具体的な実施例を挙げ、図示を参照しながら以下に説明する。
【実施例】
【００１４】
図１から図３は、この考案のキーカバーを示したものである。
【００１５】
図面によれば、この考案のキーカバーは、プラスチックブロック１と、該プラスチックブロック１を被覆するアニメの熊を模して形成されたポリウレタンフォーム２とを含んでなる。
【００１６】
該プラスチックブロック１は、鍵の柄の部分を挿入するための貫通溝１１を設けてなり、鍵３を該貫通溝１１に挿入すると、鍵の柄の部分が貫通溝１１の内部に入って、貫通溝１１と鍵３とが緊密に固定される。
【００１７】
アニメの熊を模して形成されたポリウレタンフォーム２は、該プラスチックブロック１を被覆する。よって、鍵が立体的な外観の美しさを具えるとともに、個性的な形状をも具えることができる。
【００１８】
また、形状が個性的に形成されるため、使用者が鍵を識別し易くなり、使用上便利になる。
【００１９】
該貫通溝１１は、一端にフック１２を具えてなり、該フック１２は、鍵を掛けるためのフックとして使用できるため、便利である。
【００２０】
該プラスチックブロック１は、表面に突起部１３を具えてなる。該突起部１３は、プラスチックブロック１の表面に凸凹状に形成されるため、ポリウレタンフォーム２がプラスチックブロック１を簡単にしっかりと固定することができる。
【００２１】
ポリウレタンフォーム２と、硬質のプラスチックブロック１とが緊密に固定されるため、鍵の柄の部分が元来の金属の柄の冷たい質感ではなく、手触りのよい質感になるとともに、鍵が抜け落ち難くなる。
【００２２】
この考案のポリウレタンフォーム２は、人物、動物、植物、昆虫、十二支、或いは星座など様々な形態に形成することができる。
【００２３】
この考案のキーカバーは、鍵を挿設しない場合には、装飾品として使用することができ、外観にも優れている。
【００２４】
鍵を挿設する場合、使用者は異なる形状のポリウレタンフォーム２に異なる鍵を設けることができる。鍵を異なる形状のポリウレタンフォーム２に挿設して外観の美しさを高めるとともに、他の鍵や他人の鍵と容易に区別することができる。
【００２５】
よって、鍵を使用する場合に、必要な鍵を容易に探し出すことができる。
【００２６】
この考案のキーカバーを製造する場合には、型抜き用の材料と、漆などを金型の内側表面に均一に噴射する。
【００２７】
表面に凸凹を具えたプラスチックブロック１を金型内に設ける。
【００２８】
温度が２８度から３０度になったら、ポリウレタン低圧注入機でポリウレタンの液体を金型に充填する。
【００２９】
温度が４０度から４５度でフォームが発泡する。５〜１０分間十分に発泡させてポリウレタンフォーム２を形成する。
【００３０】
金型から取り外して装飾し、表面を塗装して製品を完成させる。
【００３１】
以上は、この考案の好ましい実施例であって、この考案の実施の範囲を限定するものではない。よって、当業者のなし得る修正、もしくは変更であって、この考案の精神の下においてなされ、この考案に対して均等の効果を有するものは、いずれもこの考案の実用新案請求の範囲に属するものとする。
【図面の簡単な説明】
【００３２】
【図１】この考案のキーカバーを示した平面図である。
【図２】この考案のキーカバーのプラスチックブロックを示した説明図である。
【図３】図２に開示するキーカバーのプラスチックブロックの他の方向から見た状態を示した説明図である。
【符号の説明】
【００３３】
１            プラスチックブロック
１１          貫通溝
１２          フック
１３          突起
２            ポリウレタンフォーム
３            鍵
【図１】
0003148322.tif 000003
【図２】
0003148322.tif 000004
【図３】
0003148322.tif 000005